(57)【要約】【課題】視聴者の存在が検出されない状態で録画された放送番組を、視聴者の存在が検出された時に自動で表示することにより情報を確実に伝達すること。【解決手段】放送受信装置はスタンバイ状態であったとしても緊急警報の起動制御信号を検出可能である。緊急警報の起動制御信号の検出により、番組配列情報の取得に必要な回路部と緊急警報放送の録画に必要な録画再生部への給電が行われる。形状認識装置を用いて、視聴者の存在について判定し（Ｓ３）、視聴者が検出されない場合、緊急警報放送を録画する（Ｓ４）。形状認識装置が視聴者の存在を検出した場合、未視聴の緊急警報放送に係る録画情報を検出し、視聴者の操作無しに自動的に緊急警報放送を表示する（Ｓ５）。離席等により視聴者が装置の近辺にいない状況で発生した緊急警報放送を記録し、視聴者を検出した際に未視聴の記録情報を再生する。これにより、視聴者は緊急警報放送を確実に視聴できる。【選択図】  図２
2011004299.tif 000002
【特許請求の範囲】
【請求項１】
放送波を受信して放送番組を解析し、特定の放送番組を録画する機能を有する放送受信装置であって、
視聴者の存在を検出する認識手段と、
前記放送番組を録画する録画手段と、
前記放送番組を前記録画手段で録画した後、前記認識手段が視聴者の存在を検出した場合、前記録画手段で録画した放送番組に係る画像を表示手段に対して自動的に表示させるように制御する制御手段と、を備えることを特徴とする放送受信装置。
【請求項２】
前記制御手段は、前記放送番組が受信された後、前記認識手段によって視聴者の存在が検出されない場合、当該放送番組を前記録画手段で録画させるように制御することを特徴とする、請求項１に記載の放送受信装置。
【請求項３】
前記制御手段は、前記放送番組が受信された後、前記認識手段によって視聴者の存在が検出されない場合、前記放送番組に係る画像を前記表示手段に表示させるとともに、当該放送番組を前記録画手段で録画させるように制御することを特徴とする、請求項１に記載の放送受信装置。
【請求項４】
放送波を受信する放送受信手段と、
前記放送受信手段で受信した放送信号を解析する解析手段と、
前記放送受信手段で受信した放送信号から映像信号と音声信号を復号する復号化手段と、
前記復号化手段で復号した映像信号を前記表示手段に出力する表示制御手段と、をさらに備え、
前記放送受信手段及び前記解析手段が給電されている状態で前記放送番組を検出した場合、前記録画手段への給電が行われて当該放送番組が録画されることを特徴とする、請求項１から３のいずれか１項に記載の放送受信装置。
【請求項５】
前記録画手段として、前記放送番組に係るデータを記憶するための記憶手段及び該記憶手段を制御する入出力制御手段を備え、
前記放送番組の録画が終了した後、前記認識手段によって視聴者の存在が検出され、かつ前記入出力制御手段が前記記憶手段に記憶された未視聴の前記放送番組に係るデータを検出した場合、前記制御手段は未視聴の当該放送番組を前記表示手段に表示させるように制御することを特徴とする、請求項１から４のいずれか１項に記載の放送受信装置。
【請求項６】
前記解析手段は前記放送信号から番組配列情報を分離し、前記表示制御手段は、当該放送番組を前記表示手段によって表示する際にはその映像に対して、前記番組配列情報に含まれる番組情報に関する映像を合成して表示させることを特徴とする、請求項４に記載の放送受信装置。
【請求項７】
前記放送受信手段は、緊急警報放送の起動制御信号によって起動可能であることを特徴とする、請求項４に記載の放送受信装置。
【請求項８】
前記番組配列情報は緊急警報放送に関連する情報を含むことを特徴とする、請求項６に記載の放送受信装置。
【請求項９】
緊急警報放送に続く臨時ニュース番組を示す番組配列情報が前記解析手段によって検出された場合、前記録画手段は当該臨時ニュース番組を録画し、
前記臨時ニュース番組の録画が終了した後、前記認識手段によって視聴者の存在が検出された場合、前記表示制御手段は、録画済みの前記臨時ニュース番組を緊急警報放送に係る情報と併せて前記表示手段に表示させるように制御することを特徴とする請求項６に記載の放送受信装置。
【請求項１０】
放送波を受信して放送番組を解析し、特定の放送番組を録画する機能を有する放送受信装置の制御方法であって、
前記放送番組を録画する録画ステップと、
前記録画ステップの後で視聴者の存在を検出する認識ステップと、
前記認識ステップにて視聴者の存在が検出された場合、前記録画ステップで録画した放送番組に係る画像を自動的に表示させる表示ステップと、を有することを特徴とする放送受信装置の制御方法。
【発明の詳細な説明】
【技術分野】
【０００１】
本発明は、緊急警報放送等の特定の放送番組を受信して情報記録が可能な放送受信装置及びその制御方法に関する。
【背景技術】
【０００２】
緊急警報放送を受信可能な各種の装置が提案されている。緊急警報放送とは地震や津波等の災害が発生した際、通常放送とは別に送出される放送である（非特許文献１参照）。緊急警報放送受信機は視聴者に情報を確実に伝達する必要があるため、他の放送を受信している際や表示装置の電源がオフ状態の時でも確実に情報を伝達できるよう構成されている。例えば、特許文献１に開示された受信機では、通常放送視聴中に緊急情報を受信した際には通常放送から緊急放送に切り替えて表示を行い、電源がオフの時に緊急情報を受信した場合、表示装置に電源を供給して緊急放送番組を表示させるように構成されている。さらには、緊急情報を電源オフの状態で受信した際、緊急度が低いと判断した場合には緊急情報を記録し、次回に視聴者が電源を投入したときに緊急情報を再生する技術が開示されている。
【先行技術文献】
【特許文献】
【０００３】
【特許文献１】特開平１１−１４６３７７号公報
【非特許文献】
【０００４】
【非特許文献１】ARIB  TR-B14  第四編  地上デジタルテレビジョン放送PSI/SI運用規定
【発明の概要】
【発明が解決しようとする課題】
【０００５】
しかし上述の従来技術では、視聴者自らが装置への電源投入操作を行った場合に緊急情報を表示させるため、視聴者が電源を投入するまでは、電源のオフ時に受信した緊急情報を視聴者に伝達することができないという問題があった。つまり緊急性を要する情報の速やかな伝達ができないことがあった。このため、視聴者が電源を投入する操作をしなくても、人物の存在が検出された場合には、緊急性を有する情報を速やかに伝達する方法が好ましい。
そこで本発明は、視聴者が不在の時に録画した放送番組を、視聴者の存在を検出した時に自動的に表示することで、必要な情報を速やかに伝達することを目的とする。
【課題を解決するための手段】
【０００６】
上記課題を解決するために、本発明に係る装置は、放送波を受信して放送番組を解析し、特定の放送番組を録画する機能を有する放送受信装置であって、視聴者の存在を検出する認識手段と、前記放送番組を録画する録画手段と、前記放送番組を前記録画手段で録画した後、前記認識手段が視聴者の存在を検出した場合、前記録画手段で録画した放送番組に係る画像を表示手段に対して自動的に表示させるように制御する制御手段と、を備える。
【発明の効果】
【０００７】
本発明によれば、視聴者が不在の時に録画した放送番組を、視聴者の存在を検出した時に自動的に表示することで、必要な情報を速やかに伝達することが可能になる。
【図面の簡単な説明】
【０００８】
【図１】本発明の実施形態に係る装置の構成例を示すブロック図である。
【図２】第１実施形態に係る受信処理例を示すフローチャートである。
【図３】第１実施形態に係る表示処理例を示すフローチャートである。
【図４】第２実施形態に係る受信処理例を示すフローチャートである。
【図５】第３実施形態に係る受信処理例を示すフローチャートである。
【発明を実施するための形態】
【０００９】
本発明に係る各実施形態を以下に説明する。図１は本発明を適用した放送受信装置の構成例を示すブロック図である。放送受信装置は放送波を受信して放送番組を解析し、特定の放送番組を録画する機能を有する。ここで特定の放送番組には緊急警報に係る番組が含まれ、以下では緊急警報放送を例にして実施形態を説明するが、他の放送番組への適用が可能である。
【００１０】
映像処理部は、映像メモリ１、表示コントロールプロセッサ２を備える。映像メモリ１は、表示装置３に出力するための表示用データや、表示コントロールプロセッサ２の作業データを保持する。また映像メモリ１は、後述する映像及び音声デコードプロセッサ７の符号化映像データや復号化映像データ、メインプロセッサ１１の作業データ、入出力制御プロセッサ１０の作業データ等のデジタルデータを保持する。表示コントロールプロセッサ２は制御用のメモリを内蔵している。該プロセッサ２は映像メモリ１の制御信号の発生、映像データに係る画像処理、グラフィック描画処理及び合成処理の他、メモリコントローラとして、他のプロセッサから映像メモリ１へのアクセス制御を行う。表示装置３は、表示コントロールプロセッサ２の制御下で映像メモリ１から読み出される表示データを受信して画像表示を行う。つまり表示コントロールプロセッサ２は復号後の映像信号を表示装置３に出力して画像表示を行うための表示制御手段としての機能を有する。
【００１１】
放送波４の受信及び信号処理部は、チューナ復調回路５、暗号解読デマルチプレクスプロセッサ６、映像及び音声デコードプロセッサ７を備え、変調されたトランスポートストリームの受信及び復調処理を行う。チューナ復調回路５は放送波４を受信する放送受信手段を構成し、トランスポートストリームを出力する。暗号解読デマルチプレクスプロセッサ６はテレビ放送信号を解析してデータを分離する機能を有する。暗号解読デマルチプレクスプロセッサ６は制御用のメモリを内蔵しており、多重化されたトランスポートストリームから番組配列情報、符号化映像データ、符号化音声データを分離する。映像及び音声デコードプロセッサ７は受信したテレビ放送信号から映像信号と音声信号を復号する復号化手段を構成し、制御用のメモリを内蔵している。該プロセッサ７は複数のフォーマットの符号化映像データ及び符号化音声データを復号し、映像データを表示コントロールプロセッサ２、映像メモリ１に出力し、音声データを後述の音声コントロールプロセッサ１２、音声メモリ１３に出力する。なお、音声コントロールプロセッサ１２及び音声メモリ１３を用いて音声信号処理部が構成され、スピーカ８は音声コントロールプロセッサ１２の制御下で音声メモリ１３からの音声データを受けて音声を出力する。
【００１２】
不揮発性記憶装置９は、各プロセッサが実行する制御プログラムを保持する。つまり、表示コントロールプロセッサ２、暗号解読デマルチプレクスプロセッサ６、後述の入出力制御プロセッサ１０、音声コントロールプロセッサ１２によって実行される制御プログラムが不揮発性記憶装置９に記憶されている。また不揮発性記憶装置９は、後述のメインプロセッサ１１が実行するアプリケーションプログラムを保持する。そして不揮発性記憶装置９は、暗号解読デマルチプレクスプロセッサ６の出力する番組配列情報を記憶する。不揮発性記憶装置９に符号化映像データや符号化音声データを書き込み、またこれらのデータを読み出すことで録画や再生が行われる。なお、不揮発性記憶装置９の実施形態については半導体バッファメモリと磁気記録デバイスで構成される場合と、半導体メモリのみで構成される場合がある。
【００１３】
入出力制御プロセッサ１０は不揮発性記憶装置９とともに放送番組の録画（及び再生）手段を構成し、不揮発性記憶装置９を制御する。入出力制御プロセッサ１０は制御用のメモリを内蔵しており、不揮発性記憶装置９を用いた録画及び再生を制御し、録画済の放送番組を管理する。入出力制御プロセッサ１０は前回に装置の電源がオン状態になった時点から未視聴の緊急警報放送の情報が不揮発性記憶装置９に記録されているか否かを判定する。入出力制御プロセッサ１０はさらに、後述の複合入出力装置１６の制御も行う。
【００１４】
装置の全般的な制御を司るメインプロセッサ１１は、不揮発性記憶装置９に保持されるアプリケーションプログラムを解釈して実行し、また各プロセッサに係る制御プログラムを管理する。該制御プログラムは表示コントロールプロセッサ２、暗号解読デマルチプレクスプロセッサ６、入出力制御プロセッサ１０、音声コントロールプロセッサ１２が実行する制御プログラムである。
【００１５】
音声コントロールプロセッサ１２は音声出力手段としてのスピーカ８の音声制御を担当する。音声コントロールプロセッサ１２は制御用のメモリを内蔵しており、音声メモリ１３の記憶データに関する音声合成加工を行い、音声信号をスピーカ８に出力する。なお音声メモリ１３は、音声コントロールプロセッサ１２の制御下で音声データを保持する。
【００１６】
ヒューマンインターフェース部１４は、ユーザからの操作指示を受け付け、これを各プロセッサが扱えるコードに変換する。変換後のコード情報は後述の複合入出力装置１６に送信される。なおユーザ操作についてはリモートコントローラや装置本体等に設けられた各種の操作要素を用いて無線又は有線通信により行われる。
【００１７】
本装置はインターネット１５を利用したネットワーク通信によって外部装置との間で情報を送受することができる。例えば複合入出力装置１６は、インターネット１５を介して複数のサーバ及び情報端末装置等から番組の映像音声データ、プログラムデータ等を受信し、又はこれらの装置に対してデータを送信するための通信機能を有する。複合入出力装置１６は入出力制御プロセッサ１０の制御下に置かれ、ヒューマンインターフェース部１４に関する入力処理及びインターネット１５に関する通信処理等の制御を行う。
【００１８】
視聴者の存在に関する認識処理部は、認識メモリ１７、形状認識装置１８、撮像装置１９を備える。撮像装置１９は映像データを出力し、形状認識装置１８を介してデジタル化した撮像データを認識メモリ１７が保持する。形状認識装置１８は、撮像装置１９による映像出力をデジタル化する処理や、認識メモリ１７に格納した撮像データを読み出して特定の形状を調べて、表示装置３の前方に人がいるか否かを判断するための認識処理を行う。撮像装置１９は主として表示装置３の前方領域を撮像し、撮像後の映像データを形状認識装置１８に出力する。なお、本発明の適用上、視聴者の存在を検出する認識手段及び方法の如何は問わない。
【００１９】
電源制御部２０は、必要に応じて各回路部への電源供給及び電源遮断を行い、装置の待機電力を必要最低限に抑える。電源制御部２０は、メインプロセッサ１１等からの情報に基づいて動作状況を把握しており、緊急警報放送を受信できるように待機状態での電源管理を行っている。電源制御部２０は図示しない電源部から、符号１乃至３や、符号５乃至１４及び１６に示す各構成要素に対して選択的に給電するように制御を行う。
【００２０】
図２及び図３は本発明の第１実施形態に係る処理例を説明するフローチャートである。図２は受信処理の一例を示し、図３は表示処理の一例を示す。
以下、図２に示す受信処理をＳ１乃至７のステップに従って説明する。受信開始時に装置はスタンバイ状態にあり、チューナ復調回路５は、緊急警報放送の起動制御信号によって起動可能である。
【００２１】
Ｓ１では、電源制御部２０によって選択的に給電されたチューナ復調回路５が、緊急警報放送の起動制御信号を受信したか否かについて判定される。その結果、起動制御信号の受信時にはＳ２に進むが、当該信号を受信しない場合はＳ１の判定処理が繰り返される。
【００２２】
Ｓ２で緊急警報放送が受信されるが、その際、暗号解読デマルチプレクスプロセッサ６は番組配列情報を受信し、緊急警報放送の受信の準備を行う。Ｓ３にて、電源制御部２０により選択的に給電された形状認識装置１８は、撮像装置１９による撮像データに基づき、視聴者の存在について有無を判定する。その結果、形状認識装置１８が人物を検出した場合、Ｓ５に進むが、未検出の場合、Ｓ４に進む。
【００２３】
Ｓ５にて、緊急警報放送の表示及び音声出力処理が行われる。つまり、チューナ復調回路５による受信後、電源制御部２０によって選択的に給電された映像及び音声デコードプロセッサ７と表示コントロールプロセッサ２に従って処理された画像データに基づいて表示装置３が放送画像を表示する。一方、映像及び音声デコードプロセッサ７及び音声コントロールプロセッサ１２に従って処理された音声データに基づいてスピーカ８が放送音声を出力する。なお、表示コントロールプロセッサ２が緊急警報の放送番組を表示装置３によって表示する際には当該放送番組の映像に対して、番組配列情報に含まれる番組情報に関する映像を合成して表示させる。なお当該放送番組は番組配列情報の中に特定の情報を含んでおり、その映像に合成される番組情報に関する映像の有無は当該番組情報の内容により決定される。
【００２４】
次のＳ７にて緊急警報放送の表示について終了判定が行われ、表示の終了と判定された場合、一連の処理が終了する。表示が未終了の場合、表示終了時点までＳ７の判定が繰り返される。
【００２５】
前記Ｓ３にて形状認識装置１８が人物を検出しない場合、Ｓ４に進んで緊急警報放送の録画処理が行われる。つまり、不揮発性記憶装置９と入出力制御プロセッサ１０への選択的な給電が電源制御部２０によって行われ、緊急警報放送に係る映像及び音声データが不揮発性記憶装置９に保存される。この場合、映像及び音声デコードプロセッサ７、表示コントロールプロセッサ２、表示装置３、音声コントロールプロセッサ１２、スピーカ８には給電されない。次のＳ６にて緊急警報放送の録画について終了判定が行われ、録画終了と判定された場合、一連の処理が終了する。録画が未終了の場合には録画終了時点までＳ６の判定が繰り返される。
【００２６】
次に図３のフローチャートを用いて、表示処理について説明する。処理の開始時に装置はスタンバイ状態にある。Ｓ８にて、電源制御部２０によって選択的に給電された形状認識装置１８が人物を検出するとＳ９に進むが、未検出の場合、人物を検出するまでＳ８の判定が繰り返される。
【００２７】
Ｓ９にて、未視聴とされる緊急警報放送の録画データが存在するか否かを、不揮発性記憶装置９に保存したデータに基づいて入出力制御プロセッサ１０が判定する。選択的に給電可能な入出力制御プロセッサ１０により、前回の電源投入時から未視聴の緊急警報放送の録画データが存在することが検出されるとＳ１０に進むが、未検出の場合、一連の処理が終了する。すなわち、前記Ｓ８にて形状認識装置１８が人物を検出した場合であっても、前回の電源投入時から未視聴の緊急警報放送の録画データが不揮発性記憶装置９内に保存されていないことが判明した場合には、画像表示及び音声出力は行われない。
【００２８】
Ｓ１０では、録画済の緊急警報放送に係る画像表示及び音声出力の処理が行われる。つまり、電源制御部２０により選択的に給電された映像及び音声デコードプロセッサ７と表示コントロールプロセッサ２に従って処理された画像データに基づいて表示装置３が放送画像を表示する。一方、映像及び音声デコードプロセッサ７と音声コントロールプロセッサ１２に従って処理された音声データに基づいてスピーカ８が放送音声を出力する。次のＳ１１にて緊急警報放送の表示について終了判定が行われ、表示終了と判定された場合、一連の処理が終了する。表示が未終了の場合には表示終了時点までＳ１１の判定が繰り返される。
【００２９】
以上のように、本装置はスタンバイ状態であったとしても視聴者を検出することが可能な形状認識装置１８を備えており、人物を検出することで緊急警報放送の再生に必要な構成部に対して電源制御部２０によって選択的に給電してこれらを起動させることができる。そして、形状認識装置１８が視聴者を検出しない状況で緊急警報の起動制御信号が検出された場合、装置がスタンバイ状態であったとしても不揮発性記憶装置９に緊急警報放送のデータを記録できる。その後、形状認識装置１８によって視聴者が検出され、入出力制御プロセッサ１０によって未視聴の緊急警報放送の録画データが存在すると判明した場合、視聴者による操作無しにその目前で緊急警報放送を自動的に表示できる。
次に本発明の第２実施形態を説明する。図４は第２実施形態における受信処理例を示すフローチャートである。図４のフローチャートと、第１実施形態に係る図２のフローチャートとの相違点は、Ｓ３のステップで人物の存在が検出されない場合、Ｓ１５に進んで緊急警報放送を表示してからＳ４の録画処理が行われることである。つまり、Ｓ３で形状認識装置１８が人物を検出しない場合、Ｓ１５に進む。ここで、Ｓ５と同様に緊急警報放送の表示及び音声出力が行われた後でＳ４に進む。なお、重複回避のため、ステップＳ１乃至７の説明は省略する。本例ではＳ４での表示後にＳ５で録画処理が行われるが、緊急警報放送の表示と録画を同時に並行して行えることは勿論である。
【００３０】
第２実施形態によれば、表示装置３の正面には居なかったがその近傍に居た視聴者は緊急警報放送を視聴できるという利点が得られる。なお、第２実施形態に係る表示処理のフローチャートについては第１実施形態の場合と同じであり、よってその説明を割愛する。
【００３１】
次に本発明の第３実施形態を説明する。図５は第３実施形態における受信処理例を示すフローチャートである。図５に示すフローチャートと、第１実施形態に係る図２のフローチャートとの相違点は、人物の有無についての判定結果の如何に係わらず、装置が受信動作、表示動作、録画動作を順次に行うことである。処理の開始時に装置はスタンバイ状態にある。Ｓ２０にて、緊急警報の起動制御信号が検出されるとＳ２１に進む。該信号が未検出の場合、Ｓ２０の判定が繰り返される。
【００３２】
Ｓ２１にて装置が緊急警報放送を受信した後、Ｓ２２で緊急警報放送の画像表示及び音声出力を行う。そしてＳ２３に進み、緊急警報放送の録画処理が行われる。Ｓ２４にて録画終了の判定が行われる、録画終了時点で上記一連の処理が終了するが、録画が未終了の場合、Ｓ２４の判定が繰り返される。
なお、第３実施形態に係る表示処理のフローチャートについては第１実施形態の場合と同じであり、よってその説明を割愛する。
【００３３】
次に本発明の第４実施形態を説明する。装置のスタンバイ状態において、図１に示すチューナ復調回路５に加え、暗号解読デマルチプレクスプロセッサ６についても、電源制御部２０の制御下で不図示の電源部から同時に給電が可能である。装置が緊急警報放送を受信した後に、電源制御部２０は、暗号解読デマルチプレクスプロセッサ６とチューナ復調回路５の双方に対して給電し続けるように制御する。暗号解読デマルチプレクスプロセッサ６が番組配列情報の監視することで、その後に続く臨時ニュース番組に係る番組配列情報の取得が可能になる。
【００３４】
臨時ニュース番組の番組配列情報が検出された場合、電源制御部２０は、入出力制御プロセッサ１０と不揮発性記憶装置９に給電を行うように制御する。これによりスタンバイ状態で、緊急警報放送に続く臨時ニュースの録画が可能となる。
臨時ニュース番組の録画終了後、形状認識装置１８が人物を検出した否かについて判定される。その結果、人物が検出された場合、前回の電源投入時から未視聴の臨時ニュース番組の録画データが存在するか否かについて判定が行われる。つまり不揮発性記憶装置９と入出力制御プロセッサ１０によって未視聴の臨時ニュース番組が録画されていることが判明した場合、臨時ニュース番組に係るデータが読み出され、画像表示及び音声出力が行われる。
【００３５】
尚、上記処理例を示すフローチャートの図示は省略するが、例えば、図２のＳ２の後、暗号解読デマルチプレクスプロセッサ６及びチューナ復調回路５への給電を続行し、番組配列情報を監視する。そして臨時ニュース番組に係る番組配列情報が取得された場合、Ｓ４にて当該番組についても録画処理が行われる。また、Ｓ５では、緊急警報番組と併せて臨時ニュース番組の画像表示及び音声出力が行われる。
【００３６】
第４実施形態によれば、録画した緊急警報放送を、該放送に関連する臨時ニュースと併せて再生することで、視聴者に対して緊急警報放送とそれに続く臨時ニュースをまとめて提示できる。これにより視聴者が状況を把握する上で一助とすることができ、利便性が向上する。
【符号の説明】
【００３７】
２  表示コントロールプロセッサ
３  表示装置
５  チューナ復調回路
６  暗号解読デマルチプレクスプロセッサ
７  映像及び音声デコードプロセッサ
９  不揮発性記憶装置
１０  入出力制御プロセッサ
１１  メインプロセッサ
１８  形状認識装置
１９  撮像装置
【図１】
2011004299.tif 000003
【図２】
2011004299.tif 000004
【図３】
2011004299.tif 000005
【図４】
2011004299.tif 000006
【図５】
2011004299.tif 000007